(57)【要約】【課題】  ムスリムがいずれの地においてもメッカの方向を容易に知ることができ、同時に、携帯端末の課金システムを利用して、喜捨に貢献することを可能とする。【解決手段】イスラム教徒の喜捨回数登録方法であって、ムスリムの所有する携帯端末から礼拝申告を、所定の通信媒体を通して統括制御部に送信し、前記統括制御部は、前記礼拝申告に応じて前記ムスリムを認証し、前記認証が正しければ、前記携帯端末の位置からメッカに向かう矢印指標データを含む画像データを前記携帯端末に送り、前記ムスリムの携帯端末に、メッカの方向に向かい礼拝を可能とする前記矢印指標データを表示し、礼拝の実行後に前記統括制御部は、前記ムスリムの礼拝回数を更新し、前記礼拝回数が所定回数に達する毎に、喜捨回数データを歩進する。【選択図】  図８
2010187278.tif 000002
【特許請求の範囲】
【請求項１】
ムスリムの所有する携帯端末から礼拝申告を、所定の通信媒体を通して統括制御部に送信し、
前記統括制御部は、前記礼拝申告に応じて前記ムスリムを認証し、
前記認証が正しければ、前記携帯端末の位置からメッカに向かう矢印指標データを含む画像データを前記携帯端末に送り、
前記ムスリムの携帯端末に、メッカの方向に向かい礼拝を可能とする前記矢印指標データを表示し、
礼拝の実行後に前記統括制御部は、前記ムスリムの礼拝回数を更新し、前記礼拝回数が所定回数に達する毎に、喜捨回数データを歩進する、
ことを特徴とするイスラム教徒の喜捨回数登録方法。
【請求項２】
ムスリムの所有する携帯端末と、
所定の通信媒体を通して、前記ムスリムの所有する携帯端末から送られる礼拝申告を受ける統括制御部を有し、
前記統括制御部は、
前記礼拝申告に応じて前記ムスリムを認証する手段と、
前記認証が正しければ、前記携帯端末の位置からメッカに向かう矢印指標データを含む画像データを前記携帯端末に送る手段を有し、
前記ムスリムの所有する携帯端末は、
前記メッカの方向に向かい礼拝を可能とする前記矢印指標データを表示する手段を有し、
さらに前記統括制御部は、前記ムスリムによる礼拝の実行後に、前記ムスリムの礼拝回数を更新し、前記礼拝回数が所定回数に達する毎に、喜捨回数データを歩進する手段を有する、
ことを特徴とするイスラム教徒の喜捨回数登録システム。
【請求項３】
複数のムスリムの所有する携帯端末と、
前記複数のムスリムが所属し、所定の通信媒体を通して、所属するムスリムの所有する携帯端末から送られる礼拝申告を受ける複数の制御部と、
前記複数の制御部を統括する統括制御部を有し、
前記制御部は、
前記礼拝申告に応じて前記ムスリムを認証する手段と、
前記認証が正しければ、前記携帯端末の位置からメッカに向かう矢印指標データを含む画像データを前記携帯端末に送る手段を有し、
前記ムスリムの所有する携帯端末は、
前記メッカの方向に向かい礼拝を可能とする前記矢印指標データを表示する手段を有し、
さらに前記制御部は、前記ムスリムによる礼拝の実行後に、前記ムスリムの礼拝回数を更新し、前記更新された礼拝回数を前記統括制御部に通知し、
前記統括制御部は、前記制御部から通知される礼拝回数が所定回数に達する毎に、喜捨回数データを歩進する手段を有する、
ことを特徴とするイスラム教徒の喜捨回数登録システム。
【請求項４】
請求項２又は３において、
前記メッカに向かう矢印指標データを含む画像データは、世界地図を所定の経緯度で分割された複数の小領域のマップ画像データであって、前記矢印指標が、前記小領域とメッカとを結ぶ線上に前記メッカに向かう方向を示す矢印指標であることを特徴とするイスラム教徒の喜捨回数登録システム。
【請求項５】
請求項２又は３において、
前記携帯端末の前記統括部又は制御部との通信費用の一部が、前記統括制御部に帰属させることにより喜捨に当てることを特徴とするイスラム教徒の喜捨回数登録システム。
【請求項６】
請求項２又は３において、
前記携帯端末は、
前記携帯端末の位置する経緯度を測定する手段と、
前記携帯端末から礼拝の申告に対し、前記ムスリムを認証されたときに、前記携帯端末の置かれる経緯度に対応し、前記メッカに向かう指標矢印を含む小領域のマップ画像データを受信する、
ことを特徴とするイスラム教徒の喜捨回数登録システム。
【請求項７】
請求項２又は３において、更に
南北の方位を測定する地磁気測定部を有し、
前記メッカの方向に向かい礼拝を可能とする前記矢印指標データを表示する手段は、前記地磁気測定部により測定される南北の方位に対応して前記矢印指標データを表示する画像を回転制御する、
ことを特徴とするイスラム教徒の喜捨回数登録システム。
【発明の詳細な説明】
【技術分野】
【０００１】
本発明は、イスラム教徒（ムスリム）の喜捨回数登録システムに関する。
【背景技術】
【０００２】
中近東、東南アジアを含めたイスラム圏においてイスラム教信者（ムスリム）は、一日５回のお祈り（礼拝）をはじめイスラムの文化に沿った様々な行為が、生活に密着している。
【０００３】
特に、一日５回の礼拝は信徒が守るべき義務の一つであり、メッカの方向に向かってお祈りを行う。
【０００４】
そのために、イスラム圏の地域におけるホテルには、床、室内の天井、壁、テーブルなどにメッカの方角を指し示す矢印指標が備えられている。すなわち、この矢印指標はイスラムのメッカの方向を示している標識であって、ムスリムの旅行者やそこに滞在しているムスリムの人たちには大切な目印である。この矢印の方向に即ち、メッカの方向に向かってお祈りをするための標識となる。 
【０００５】
したがって、ムスリムにとって、地方、他国の旅先でメッカの方向を知ることは大変重要なリサーチであり、そのため各ホテルではメッカの方向を指す矢印指標を設けて宿泊者のために便宣を図っている。 
【０００６】
しかし、ムスリムにとって、旅先において、かかる矢印指標のないところで、メッカ方向を認識することは、容易でない場合がある。
【０００７】
一方、一生に一度はハッジ（メッカ巡礼）をするのがイスラム教徒の義務であり夢であるが、メッカ巡礼のためには、多額の費用を要することであり、ムスリムの全てが可能ということではない。このため、それぞれのムスリムは、多数のイスラム教徒が一緒に礼拝することの出来るイスラム寺院（モスク）に所属登録し、モスクの代表にメッカ巡礼を行わせる場合も多い。
【０００８】
さらに、ムスリムの義務として喜捨を行い、喜捨の貢献度から所属するモスクの巡礼代表とされる場合もある。
【０００９】
上記に鑑みて、ムスリムが世界中のどの地に旅する、あるは居住する場合であって、移動先において、容易にメッカの方向を知ることができる手段として近年の通信技術を利用することが考えられる。
【００１０】
そして、かかる場合の通信機器として携帯端末を利用することが好ましい。
【００１１】
ここで、携帯端末において、方向を識別可能とする従来システムとして、特許文献１、２に記載の技術がある。特許文献１に記載の発明は、所望の場所への方位、地図情報を携帯電話端末が向いている方位に合わせるように表示するものである。
【００１２】
また、特許文献２に記載の発明は、携帯通信端末を携行するユーザが、携帯通信端末を介して現在位置に係る地域関連情報を把握しやすい態様で取得するようにしたシステムに関するものである。
【先行技術文献】
【特許文献】
【００１３】
【特許文献１】特開２００３-２９９１３６号公報
【特許文献２】特開２００３-１９９１４０号公報
【発明の概要】
【発明が解決しようとする課題】
【００１４】
したがって、本発明の目的は、携帯端末を用いて、ムスリムが容易にメッカの方向を識別することができ、更に喜捨を行うことを可能とするイスラム教徒の喜捨回数登録システムを提供することにある。
【課題を解決するための手段】
【００１５】
上記課題を達成する本発明に従う第１の態様は、イスラム教徒の喜捨回数登録方法であって、ムスリムの所有する携帯端末から礼拝申告を、所定の通信媒体を通して統括制御部に送信し、前記統括制御部は、前記礼拝申告に応じて前記ムスリムを認証し、前記認証が正しければ、前記携帯端末の位置からメッカに向かう矢印指標データを含む画像データを前記携帯端末に送り、
前記ムスリムの携帯端末に、メッカに方向に向かい礼拝を可能とする前記矢印指標データを表示し、礼拝の実行後に前記統括制御部は、前記ムスリムの礼拝回数を更新し、前記礼拝回数が所定回数に達する毎に、喜捨回数データを歩進することを特徴とする。
【００１６】
上記課題を達成する本発明に従う第２の態様は、イスラム教徒の喜捨回数登録システムであって、ムスリムの所有する携帯端末と、所定の通信媒体を通して、前記ムスリムの所有する携帯端末から送られる礼拝申告を受ける統括制御部を有し、前記統括制御部は、前記礼拝申告に応じて前記ムスリムを認証する手段と、前記認証が正しければ、前記携帯端末の位置からメッカに向かう矢印指標データを含む画像データを前記携帯端末に送る手段を有し、前記ムスリムの所有する携帯端末は、前記メッカに方向に向かい礼拝を可能とする前記矢印指標データを表示する手段を有し、さらに前記統括制御部は、前記ムスリムによる礼拝の実行後に、前記ムスリムの礼拝回数を更新し、前記礼拝回数が所定回数に達する毎に、喜捨回数データを歩進する手段を有することを特徴とする。
【００１７】
上記課題を達成する本発明に従う第３の態様は、イスラム教徒の喜捨回数登録システムであって、複数のムスリムの所有する携帯端末と、前記複数のムスリムが所属し、所定の通信媒体を通して、所属するムスリムの所有する携帯端末から送られる礼拝申告を受ける複数の制御部と、前記複数の制御部を統括する統括制御部を有し、前記制御部は、前記礼拝申告に応じて前記ムスリムを認証する手段と、前記認証が正しければ、前記携帯端末の位置からメッカに向かう矢印指標データを含む画像データを前記携帯端末に送る手段を有し、前記ムスリムの所有する携帯端末は、前記メッカに方向に向かい礼拝を可能とする前記矢印指標データを表示する手段を有し、さらに前記制御部は、前記ムスリムによる礼拝の実行後に、前記ムスリムの礼拝回数を更新し、前記更新された礼拝回数を前記統括制御部に通知し、前記前記統括制御部は、前記制御部から通知される礼拝回数が所定回数に達する毎に、喜捨回数データを歩進する手段を有することを特徴とする。
【００１８】
上記課題を達成する本発明に従う第４の態様は、第２又は３の態様において、前記メッカに向かう矢印指標データを含む画像データは、世界地図を所定の経緯度で分割された複数の小領域のマップ画像データであって、前記矢印指標が、前記小領域とメッカとを結ぶ線上に前記メッカに向かう方向を示す矢印指標であることを特徴とする。
【００１９】
上記課題を達成する本発明に従う第５の態様は、第２又は３の態様において、前記携帯端末の前記統括部又は制御部との通信費用の一部が、前記統括制御部に帰属させることにより喜捨に当てることを特徴とする。
【００２０】
上記課題を達成する本発明に従う第６の態様は、第２又は３の態様において、前記携帯端末は、前記携帯端末の位置する経緯度を測定する手段と、  前記携帯端末から礼拝の申告に対し、前記ムスリムを認証されたときに、前記携帯端末の置かれる経緯度に対応し、前記メッカに向かう指標矢印を含む小領域のマップ画像データを受信することを特徴とする。
【００２１】
上記課題を達成する本発明に従う第７の態様は、第２又は３の態様において、更に南北の方位を測定する地磁気測定部を有し、前記前記メッカに方向に向かい礼拝を可能とする前記矢印指標データを表示する手段は、前記地磁気測定部により測定される南北の方位に対応して前記矢印指標データを表示する画像を回転制御することを特徴とする。
【発明の効果】
【００２２】
上記の本発明の構成により、ムスリムはいずれの地においても、メッカの方向を容易に知ることができる。同時に、携帯端末の課金システムを利用して、喜捨に貢献することが可能であり、その喜捨の回数を容易に知ることができる。
【００２３】
また、いずれかのモスクにムスリムは、携帯端末と共に登録が必要であり、従って、ムスリムの移動先についても容易に把握可能であり、イスラム教徒間の連帯感をより高めることが可能である。
【図面の簡単な説明】
【００２４】
【図１】第１の実施例のシステム概略図である。
【図２】ムスリム情報データベースの登録内容を例示す図である。
【図３】大モスクである統括制御部の構成例の機能ブロック図である。
【図４】世界地図を複数の小ブロック領域に分割する例を示す図である。
【図５】図４で説明した分割された一つの小領域を示す図である。
【図６】矢印表示画像について説明する図である。
【図７】携帯端末の構成例の機能ブロック図である。
【図８】第１の実施例に従う処理シーケンスフローである。
【図９】表示部に表示された登録ＩＤ及びパスワード入力エリア表示の一例である。
【図１０】表示部に表示される画像を示す図である。
【図１１】第２の実施例のシステム概略図である。
【図１２】第２の実施例に従う処理シーケンスフローである。
【発明を実施するための形態】
【００２５】
以下に本発明の実施例を図面に従い説明する。
【００２６】
図１は、第１の実施例のシステム概略図である。
【００２７】
図１において、ムスリムのそれぞれは、所有する携帯端末と共に、所属するモスクに登録されている。図１において、一例として、それぞれモスクＩ，II…Ｎ に登録されているムスリムの所有する携帯端末２０，２１（グループGI）、３０，３１（グループGII）及び、Ｎ０、Ｎ１（グループGN）を示している。
【００２８】
さらに、モスクＩ，II…Ｎの登録情報は、例えば、メッカにある大モスク１に送られ、ムスリム情報データベースに登録保持されている。ここで、モスクＩ，II…Ｎのそれぞれを制御部として、大モスク１を総括制御部と捉えることができる。
【００２９】
図２に、かかるムスリム情報データベースの登録内容を例示している。図２において、（１）、（２）、（Ｎ）は、対応するモスクＩ，II,…Ｎのそれぞれに登録されているデータと同じである。
【００３０】
たとえば、制御部としてのモスクＩには、ムスリムａ，ムスリムｂ，…ムスリムｘが所属し、所有する携帯端末Ｎｏ．が登録されている。携帯端末Ｎｏ．として、携帯端末電話番号が登録されている。
【００３１】
さらに、ムスリムａ，ムスリムｂ，…ムスリムｘは、統括制御部としての大モスク１にアクセスするための個別のパスワードが登録されている。さらに喜捨回数が登録される。このようにモスクＩに対して所属するムスリムのムスリム情報が構成されている。
【００３２】
かかる登録項目を有するムスリム情報は、モスクII・・・モスクＮについても同様である。
【００３３】
ムスリムの携帯端末２０（２１，３０，３１、Ｎ０，Ｎ１）と統括制御部としての大モスク１とは、インターネット等の所定のネットワーク２を通して接続される(図１参照)。
【００３４】
図３は、大モスク１である統括制御部の構成例機能ブロック図である。
【００３５】
統括制御部は、通信手段即ち、有線、地上無線、あるいは衛星通信等の通信媒体に対応する送受信機１００を有する。ムスリムデータベース１０１は、図２において説明した、全てのモスクI, II…Ｎの登録情報を格納している。
【００３６】
大モスク１である統括制御部は、更に認証サーバ１０２と、地図データベース１０３を有している。
【００３７】
認証サーバ１０２は、ムスリムの所有する携帯端末２０（２１、３０、３１…Ｎ０、Ｎ１）からの、後に説明する礼拝申告に対して、ムスリムの資格を認証するための機能を有する。
【００３８】
地図データベース１０３は、世界地図を複数の小ブロック領域に分割し、メッカの位置を含む小ブロックを基準（例えば番号１とする）として、それぞれの小ブロックにアドレス番号を付してマップデータとして保持している。
【００３９】
図４は、世界地図を複数の小ブロック領域に分割する例を示す図である。地軸を中心に、東西経度の方向に所定角度で分割され、更に南北緯度の方向に等間隔で分割して、それぞれ複数の領域アドレス番号1、1-1、1-2,…, 1+1,1+2,…,2,3,…, -2,-3 …が特定された複数の小領域が得られる。したがって、分割された小領域は、対応する経緯度情報を有している。
【００４０】
さらに、図５には、図４で説明した分割された一つの小領域、例えば、アドレス番号3-4の小領域を、更に均等の領域の大きさに分割した複数の小領域3-4+1, 3-4+2, 3-4+3,…を示している。複数の小領域3-4+1, 3-4+2, 3-4+3,…を、必要であれば、同様に更なる小領域に分割してもよい。
【００４１】
このように分割された小領域は、それぞれ対応する大きさ領域のマップ画像データと、経緯度情報を有している。さらに、このマップ画像の中心を起点にメッカの方向を指す矢印表示画像データを有している。
【００４２】
図６は、更にかかる矢印表示画像について説明する図である。図６において、メッカの位置を含む図４において分割された小領域（１）と、図５に示した小領域3-4を更に分割して得られる一の小領域3-4+ｍとの位置関係を示している。すなわち、小領域3-4+ｍの中心とメッカを結ぶ線上に沿う方向に矢印指標ＤＬの画像が小領域3-4+ｍのマップ画像データに付属して重畳して地図データベース１０３に登録されている。
【００４３】
同様に、図５に示す分割された小領域のマップ画像データに、それぞれの領域の中心とメッカを結ぶ線上に沿う方向の矢印指標ＤＬが付属している。
【００４４】
なお、矢印指標ＤＬの起点は、小領域の中心でなくてもよく、例えば、小領域の４角頂点の１点に置くようにしてもよい。中心と頂点角の距離が小さければ、メッカを向く方向に大きな差は生じないからである。
【００４５】
図７は、携帯端末２０（２１，３０，３１・・・Ｎ０，Ｎ１：以降単に２０という）の構成例の機能ブロック図である。携帯端末２０は、一例として、移動体通信システムの移動体電話端末であり、かかる移動体通信システムにおけるキャリアとの必要な通信機能部は送受信機能部２００に含まれている。
【００４６】
制御部２０１は、各部を制御する機能を有し、入力設定部２０２は、携帯端末２０に備わる各種機能ボタンに対するムスリムの操作に対応する信号を入力する。地磁気測定部２０３は、磁針機能を有し、携帯端末２０の置かれる地点における南北方位を測定する機能を有する。
【００４７】
画像生成部２０４は、送受信機能部２００により受信される、先に説明した大モスク１である統括制御部の地図データベース１０３のマップ情報画像データ及び付属する方向矢印のデータに基づき、地磁気測定部２０３により測定される南北方位に合せて表示部２０５に表示する画像を生成する。
【００４８】
送受信機能部２００は、更にＧＰＳ衛星４（図１参照）からの電波を受信する機能を有する。送受信機能部２００により受信されたＧＰＳ衛星４から受信信号は、制御部２０１に送られ、三角法により経緯度を計算し、携帯端末２０の位置が特定される。求められた経緯度情報は、後に処理を説明するように、大モスク１から送られるマップ画像情報を有する小領域のいずれとするかを特定する際に利用される。
【００４９】
図８は、上記のシステム概略図（図１）、大モスク１である統括制御部の機能ブロック図（図３）及び、携帯端末２０の機能ブロック図（図７）に対応して実行される第１の実施例に従う処理シーケンスフローである。
【００５０】
図８の手順に沿って以下にイスラム教徒の喜捨回数登録システムの動作を説明する。
【００５１】
いま、モスクＩに所属し、携帯端末２０を所有するムスリムａが礼拝を申告すると想定する。図７において、ムスリムａは、所定の入力ボタンにより礼拝の申告を入力すると、入力設定部２０２は、これを検知し、制御部２０１に通知する。制御部２０１は、図示しないＲＯＭに格納されている礼拝申告手順を実行制御するアプリケーションを起動する。
【００５２】
このアプリケーションの実行により、画像生成部２０４で、登録ＩＤ及びパスワード入力画像が生成され、表示部２０５に表示される。
【００５３】
図９は、表示部２０５に表示された登録ＩＤ及びパスワード入力エリア表示の一例である。
【００５４】
登録ＩＤは、ムスリムａの所属するモスクＩと関係づけられて予め付与されたＩＤである。パスワードは、ムスリムａが予め設定し、ＩＤとともに登録されている。
【００５５】
入力された登録ＩＤとパスワードが、礼拝申告として所定のネットワーク２を通して大モスク１に送られる（ステップＳ１）。大モスク１である統括制御部は、礼拝申告として送られた登録ＩＤとパスワードを統括制御部の送受信機１００で受信する。受信された登録ＩＤとパスワードについて、認証サーバ１０２により認証処理が行なわれる（ステップＳ２、Ｓ３）。
【００５６】
すなわち、先に図２について説明したように、統括制御部のムスリムデータサーバ１０１には、モスクごとに所属するムスリム名、対応するパスワード、携帯端末Ｎｏ．及び喜捨回数が登録されたテーブルを有する。ムスリムデータサーバ１０１は、かかるテーブルを参照して、登録ＩＤに対応するモスクデータが存在するか否かを判定する（ステップＳ２）。
【００５７】
送信された登録ＩＤに対応するモスクデータが存在しない場合は、礼拝申告を否認する（ステップＳ２、Ｎｏ）。登録ＩＤに対応するモスクデータが存在すれば（ステップＳ２、ＹＥＳ）、次いで、対応するモスクに登録されているムスリムのパスワードと一致するパスワードの有無を判定する（ステップＳ３）。一致するパスワードがなければ、礼拝申告を否認する（ステップＳ３、ＮＯ）。
【００５８】
一致するパスワードがあれば（ステップＳ３、ＹＥＳ）、礼拝申告時刻を登録する（ステップＳ４）。
【００５９】
ここで、ムスリムは一日５回の礼拝が義務とされている。本実施例においては、一日５回の礼拝が終わると、後に更に説明するように一回の喜捨が行われたとして喜捨回数を更新登録する。
【００６０】
このために、喜捨回数の更新を安易に受けるために、ムスリムの不正な礼拝申告が行われると本来の礼拝が行われなくなる恐れがある。そこで、認証サーバ１０２は、礼拝申告登録（ステップＳ４）の結果に基づき礼拝申告の頻度を判定する（ステップＳ５）。すなわち、一日５回という礼拝回数に対して、礼拝申告の頻度が高い場合には、不正な申告と判断して礼拝申告を否認する（ステップＳ５、ＮＯ）。
【００６１】
礼拝申告が正常と判定される場合（ステップＳ５、ＹＥＳ）は、礼拝の容認と、登録されている喜捨回数を、礼拝申告をしたムスリムａに通知する（ステップＳ６）。
【００６２】
ムスリムａ側は、所有する携帯端末２０で礼拝の容認通知を受けると、通知された登録済みの喜捨回数を表示部２０５に表示するとともに、制御部２０１は、ＧＰＳ衛星４から電波を受け、ムスリムａの所在する位置を求める（ステップＳ７）。
【００６３】
同時に地磁気測定部２０３で測定される南北方位データを画像生成部２０４に送るように制御する。
【００６４】
制御部２０１で求められたムスリムａの所在する位置の経緯度データが、送受信機機能部２００により、大モスク１である統括制御部に送信される（ステップＳ８）。
【００６５】
統括制御部では、送られたムスリムａの所在する経緯度データに基づき、図５に説明したマップ画像データを地図データベース１０３から検索する。検索により、ムスリムデータベース１０１に登録されている分割小領域から通知されたムスリムａの所在する位置の経緯度を含む小領域を特定する（ステップＳ９）。
【００６６】
次いで、小領域にはそれぞれ、メッカの方向を示す矢印指標が付属されているので、特定された小領域のマップ画像データと付属する矢印指標(方角)データをムスリムａの携帯端末２０に送信する（ステップＳ１０）。
【００６７】
ムスリムａの携帯端末２０において、受信したマップ画像データと矢印指標データに基づき、表示部２０５に表示する画像を画像生成部２０４で生成する（ステップＳ１１）。
【００６８】
このとき、統括制御部から送られるマップ画像データは、基準の南北方角に基づくデータである。したがって、画像生成部２０４で統括制御部から送られるマップ画像データを処理して生成され、表示部２０５に表示される画像は、図１０（ａ）に示すようである。
【００６９】
かかる画像においてメッカの方向に向かう矢印指標Ａが表示されている。したがって、モスリムａは、所有する携帯端末２０に表示される矢印指標Ａにより、容易にメッカの方向を知ることができる。
【００７０】
ここで、図１０（ａ）に示す画像は、携帯端末２０の置かれた方角と、地磁気測定部２０３により判定される南北方位が一致している場合である。しかし、携帯端末２０の置かれる方位が、地磁気測定部２０３により判定される方角と不一致である場合は、画像生成部２０４において、マップ画像データを地磁気測定部２０３により判定される方角と一致するように回転する。図１０（ｂ）に示す図は、かかる地磁気測定部２０３により判定される携帯端末２０の置かれる方角に、マップ画像データの方位が一致するように回転表示された図である。
【００７１】
図１０（ａ）との比較により明らかなようにメッカの方向の矢印指標Ａが、変位されていることが理解できる。
【００７２】
図８に戻り、モスリムａは、携帯端末２０に表示されるメッカの方向の矢印指標Ａに従って礼拝を実行する（ステップＳ１２）。そして、礼拝の実行を大モスク１に通知する（ステップＳ１３）。
【００７３】
これにより、大モスク１は、礼拝実行を通知されると礼拝回数を更新する（ステップＳ１４）。さらに、更新された礼拝回数が５回に達するとき（ステップＳ１５、ＹＥＳ）、喜捨回数を更新登録する（ステップＳ１６）。更新登録された喜捨回数の状態は、定期的に大モスク１から対応するモスクに通知される。これによりそれぞれのモスクは、所属するムスリムの喜捨回数を把握することができる。
【００７４】
ここで、所定の礼拝回数に達したときに喜捨回数を歩進させる意味は次のようである。
【００７５】
本発明において、ムスリムは携帯端末を所有し、これを用いて礼拝の申告を行うようにしている。したがって、礼拝申告の都度、携帯端末に通信費用が発生し、ムスリムに請求が通信事業体から行われる。この際、通信費用の一部に喜捨分の費用を上乗せする。この上乗せ分を大モスク(統括制御部)１に帰属させることにより、礼拝の都度喜捨を行うことが実現できる。これにより、所定回数の礼拝実行の都度、喜捨回数が歩進される意味が生じる。
【００７６】
図１１は、第２の実施例のシステム概略図である。
【００７７】
先に説明した第１の実施例では、ムスリムはそれぞれのモスクＩ，II・・・Ｎを統括する大モスク１に携帯端末２０を用いて礼拝の申告をするものである。
【００７８】
かかる実施例においては、大モスク１がメッカの近傍にあると想定すると、メッカから遠い地に居るそれぞれのムスリムは、礼拝申告の都度、大きな通信費用を要することになり、更に喜捨分の額を考慮すると大きな金銭的な負担となる。
【００７９】
したがって、第２の実施例は、かかる不都合を解消するものである。
【００８０】
図１１において、ムスリムのそれぞれの情報は、所有する携帯端末情報とともに、所属するモスクのムスリムデータベースに登録されている。図１１において、モスクのムスリムデータベースの内容は、先に図２で説明したと同様であり、図２(１)、（２）・・・（Ｎ）のそれぞれが、モスクＩ，II…Ｎのデータベース内容である。
【００８１】
たとえば、モスクＩには、ムスリムａ，ムスリムｂ，…ムスリムｘが所属し、所有する携帯端末Ｎｏ．が登録されている。携帯端末Ｎｏ．として、携帯端末電話番号が登録されている。
【００８２】
さらに、ムスリムａ，ムスリムｂ，…ムスリムｘは、それぞれ所属するモスクＩ，II…Ｎにアクセスするための個別のパスワードが登録されている。さらに喜捨回数が登録される。
【００８３】
かかる登録項目を有するムスリム情報は、モスクII・・・モスクＮについても同様である。
【００８４】
ムスリムの携帯端末２０（２１，３０，３１、Ｎ０，Ｎ１）と所属するモスクとは、インターネット等の所定のネットワーク２を通して接続される(図１１参照)。
【００８５】
モスクI,II・・・Ｎの構成は、先に図３に示した大モスク１である統括制御部の構成と同様である。
【００８６】
さらに、各ムスリムの所有する携帯端末の構成は図７に示したと同様である。
【００８７】
図１２は、第２の実施例に従う処理シーケンスフローである。
【００８８】
図１２の手順に沿って以下にイスラム教徒の喜捨回数登録システムの第２の実施例動作を説明する。
【００８９】
いま、モスクＩに所属し、携帯端末２０を所有するムスリムａが礼拝を申告すると想定する。図７において、ムスリムａは、所定の入力ボタンにより礼拝の申告を入力すると、入力設定部２０２は、これを検知し、制御部２０１に通知する。制御部２０１は、図示しないＲＯＭに格納されている礼拝申告手順を実行制御するアプリケーションを起動する。
【００９０】
このアプリケーションの実行により、画像生成部２０４で、登録ＩＤ及びパスワード入力画像が生成され、表示部２０５に表示される。
【００９１】
図９に示したように、表示部２０５に表示された登録ＩＤ及びパスワード入力エリア表示に従い、それぞれ登録ＩＤとパスワードを入力する。
【００９２】
登録ＩＤは、ムスリムａの所属するモスクＩと関係づけられて予め付与されたＩＤである。パスワードは、ムスリムａが予め設定し、所属するムスリムＩのムスリムデータベース１０１に登録されている。
【００９３】
入力された登録ＩＤとパスワードが、礼拝申告として所定のネットワーク２を通してモスクＩに送られる（ステップＳ２０）。モスクＩは、礼拝申告として送られた登録ＩＤとパスワードを送受信機１００で受信する。受信された登録ＩＤとパスワードについて、認証サーバ１０２により認証処理が行なわれる（ステップＳ２１、Ｓ２２）。
【００９４】
すなわち、先に図２について説明したように、それぞれのモスクのムスリムデータサーバ１０１には、所属するムスリム名、対応するパスワード、携帯端末Ｎｏ．及び喜捨回数が登録されたテーブルを有する。
【００９５】
ムスリムデータサーバ１０１は、かかるテーブルを参照して、ムスリムを認証する。ムスリムａから送信された登録ＩＤが、自モスクのＩＤであるか否かを判定する（ステップＳ２１）。送信された登録ＩＤが、モスクＩのＩＤであるとき（ステップＳ２１、ＹＥＳ）は、次いでパスワードと一致するかを判定する（ステップＳ２２）。パスワードと一致しないときは、礼拝申告を否認する（ステップＳ２２、ＮＯ）。
【００９６】
ステップＳ２１において、自モスクのＩＤでない時は（ステップＳ２１、ＮＯ）、他のモスクの登録ＩＤである場合があるので、その検索を大モスク１に要求するために、ムスリムａから受信した登録ＩＤとパスワードを大モスク１に通知する（ステップＳ２３）。
【００９７】
大モスク１は、図８におけるステップＳ２、Ｓ３と同様に、大モスク１のムスリムデータベース１０１を参照して登録ＩＤとパスワードを判定する（ステップＳ２４）。登録ＩＤとパスワードの一致が判定されると（ステップＳ２４、ＹＥＳ）、モスクＩに当該他モスク情報を通知する（ステップＳ２５）。
【００９８】
モスクＩは、自モスクに所属するムスリムあるいは、大モスク１から他のモスク情報が通知されるときは、認証がパスしたとして、礼拝時刻の頻度を、礼拝申告時刻を登録する（ステップＳ４）。
【００９９】
先に説明したように、ムスリムは一日５回の礼拝が義務とされている。第２の実施例においても、一日５回の礼拝が終わると一回の喜捨が行われたとして喜捨回数を更新登録する。
【０１００】
このために、喜捨回数の更新を安易に受けるために、ムスリムの不正な礼拝申告が行われると本来の礼拝が行われなくなる恐れがある。そこで、モスクＩの認証サーバ１０２は、礼拝申告時刻登録（ステップＳ２６）の結果に基づき礼拝申告の頻度を判定する（ステップＳ２７）。すなわち、一日５回という礼拝回数に対して、礼拝申告の頻度が高い場合には、不正な申告と判断して礼拝申告を否認する（ステップＳ２７、ＮＯ）。
【０１０１】
礼拝申告が正常と判定される場合（ステップＳ２７、ＹＥＳ）は、礼拝の容認と、登録されている喜捨回数を、礼拝申告をしたムスリムａに通知する（ステップＳ２８）。
【０１０２】
ムスリムａ側は、所有する携帯端末２０で礼拝の容認通知を受けると、通知された登録済みの喜捨回数を表示部２０５に表示するとともに、制御部２０１は、ＧＰＳ衛星４から電波を受け、ムスリムａの所在する位置を求める（ステップＳ２９）。
【０１０３】
同時に地磁気測定部２０３で測定される南北方位データを画像生成部２０４に送るように制御する。
【０１０４】
制御部２０１で求められたムスリムａの所在する位置の経緯度データが、送受信機機能部２００により、モスクＩに送信される（ステップＳ３０）。
【０１０５】
モスクＩは、送られたムスリムａの所在する経緯度データに基づき、図５に説明したマップ画像データを地図データベース１０３から検索する。検索により、ムスリムデータベース１０１に登録されている分割小領域からムスリムａの所在する位置の経緯度を含む小領域を特定する（ステップＳ３１）。
【０１０６】
なお、ムスリムａが、自モスクに所属しない場合、大モスク１から他のモスク情報が通知されている（ステップＳ２５）。かかる場合は、通知されている他のモスクの地図データベース１０３を検索して（ステップＳ３２）、分割小領域からムスリムａの所在する位置の経緯度を含む小領域を特定する（ステップＳ３１）。
【０１０７】
このように特定された小領域にはそれぞれ、メッカの方向を示す矢印指標が付属されているので、特定された小領域のマップ画像データと付属する矢印指標(方角)データをムスリムａの携帯端末２０に送信する（ステップＳ３３）。
【０１０８】
ムスリムａの携帯端末２０において、受信したマップ画像データと矢印指標データに基づき、表示部２０５に表示する画像を画像生成部２０４で生成する（ステップＳ３４）。
【０１０９】
このとき、統括制御部から送られるマップ画像データは、基準の南北方角に基づくデータである。したがって、画像生成部２０４で統括制御部から送られるマップ画像データを処理して生成され、表示部２０５に表示される画像は、図１０（ａ）に示すようである。
【０１１０】
かかる画像においてメッカの方向に向かう矢印指標Ａが表示されている。したがって、モスリムａは、所有する携帯端末２０に表示される矢印指標Ａにより、容易にメッカの方向を知ることができる。
【０１１１】
なお、携帯端末２０の置かれる方位が、地磁気測定部２０３により判定される方角と不一致である場合の処理も、第１の実施例と同様に処理して図１０（ｂ）のように表示される。
【０１１２】
図１２に戻り、モスリムａは、携帯端末２０に表示されるメッカの方向の矢印指標Ａに従って礼拝を実行する（ステップＳ３５）。そして、礼拝の実行をモスクＩに通知する（ステップＳ３６）。
【０１１３】
これにより、モスクＩは、礼拝実行を通知されると礼拝回数を更新する（ステップＳ３７）。ついで、更新された礼拝回数を、大モスク１に通知する（ステップＳ３８）。大モスク１は、更新された礼拝回数が５回に達するとき（ステップＳ３９、ＹＥＳ）、喜捨回数を更新登録する（ステップＳ４０）。
【０１１４】
ここで、所定の礼拝回数に達したときに喜捨回数を歩進させる意味は、先の第１の実施例において説明したと同様である。
【０１１５】
かかる第２の実施例においても、ムスリムはいずれの地においても、メッカの方向を容易に知ることができる。同時に、携帯端末の課金システムを利用して、喜捨に貢献することが可能であり、その喜捨の回数を容易に知ることができる。
【符号の説明】
【０１１６】
１  大モスク(統括制御部)
２，３  ネットワーク
４  ＧＰＳ衛星
２０（２１,３０,３１・・・Ｎ０，Ｎ１）  携帯端末
１０，１１・・・モスク
【図１】
2010187278.tif 000003
【図２】
2010187278.tif 000004
【図３】
2010187278.tif 000005
【図４】
2010187278.tif 000006
【図５】
2010187278.tif 000007
【図６】
2010187278.tif 000008
【図７】
2010187278.tif 000009
【図８】
2010187278.tif 000010
【図９】
2010187278.tif 000011
【図１０】
2010187278.tif 000012
【図１１】
2010187278.tif 000013
【図１２】
2010187278.tif 000014